(57)【要約】      （修正有）【課題】歯および歯列の内側と外側および咬合面の同時磨きが、違和感や痛み等の支障を伴うことなく、効率よく行うことができる全歯周ハブラシを提供する。【解決手段】ブラシ部１は、主植毛基材部３と、該主植毛基材部３にそれぞれ連繋帯部４を介して一体に連設された一対の副植毛基材部５を有し、かつ該一対の副植毛基材部５は、前記連繋帯部４と該連繋帯部４を包含して充填されたゴム状の弾性充填部材１２により、前記主植毛基材部３の植毛面６に対し内向きの約２５〜３０度の角度をもって可撓的に屈曲形成され、前記主植毛基材部３の植毛面６には植毛束１３が規則的配列をもって植毛されるとともに、一対の副植毛基材部５の植毛面７には植毛束１４、１５が規則的配列をもって植毛され、三つの植毛面における植毛によって、歯および歯列の内側と外側および咬合面を同時に磨く。【選択図】図１
0003126032.tif 000002
【実用新案登録請求の範囲】
【請求項１】
ブラシ部（１）と把持部（２）を含む歯ブラシにおいて、
前記ブラシ部（１）は、主植毛基材部（３）と、該主植毛基材部（３）の左右にそれぞれ肉薄の連繋帯部（４）を介して一体に連設された一対の副植毛基材部（５）を有し、かつ該一対の副植毛基材部（５）は、前記連繋帯部（４）と該連繋帯部（４）を包含して充填されたゴム状の弾性充填部材（１２）により、前記主植毛基材部（３）の植毛面（６）に対し内向きの所定の角度（θ）、好ましくは、約２５〜３０度の角度をもって可撓的に屈曲形成され、前記主植毛基材部（３）の植毛面（６）には、やや短い植毛束（１３）が規則的配列をもって植毛され、前記一対の副植毛基材部（５）の植毛面（７）には、それぞれ前記主植毛基材部（３）の植毛束（１３）よりもやや長く、かつ前記植毛面（７）の外側ほど順次長くなっている植毛束（１４）、（１５）が規則的配列をもって植毛され、
前記一対の副植毛基材部（５）が歯および歯列（２０）に跨るようにして、前記三つの植毛面（６）、（７）における植毛によって、歯および歯列（２０）の内側と外側および咬合面を同時に磨き得るようにされた構成を特徴とする全歯周ハブラシ。
【考案の詳細な説明】
【技術分野】
【０００１】
本考案は、歯および歯列の内側と外側および咬合面の三面同時磨きのハブラシに関するものである。
【背景技術】
【０００２】
従来、歯および歯列に跨るようにしてそれらの内側と外側および咬合面を同時に磨くようにした歯ブラシについては、多くの提案がなされている。
【０００３】
例えば、特許文献１には、ブラシ部が、上面板部と該上面板部に対して略直角に設けられた両側板部からなり、上面板部と両側板部の刷毛面には、それぞれ同じ長さの刷子毛が植毛された歯ブラシが開示されている。
【０００４】
しかしながら、この特許文献１に開示の歯ブラシは、上面板部と両側板部が互いに直角の向きにその姿勢を保持させるため、上面板部と両側板部との屈曲外面に肉厚の膨突部が膨出形成されており、使用時において、この角張った膨出突部を口腔の中に入れるには抵抗があるばかりか、痛みを伴うこともあって実用には供し得ないものである。
【０００５】
また、上面板部と両側板部は互いに略直角で、かつ上面板部と両側板部三面の刷子毛の長さは全て同じであるため、使用時において、歯に対する摺接力が強くなって違和感を生じ、これまた実用には供し得ないものである。
【０００６】
また、特許文献２には、Ｕ溝状ブラシ台の三面にブラシ毛が植毛されてなる歯ブラシが開示されている。
【０００７】
しかしながら、この特許文献２に開示された歯ブラシは、Ｕ溝状ブラシ台はプラスチック樹脂による一体成形であるため、このＵ溝状ブラシ台の三面に対するブラシ毛の機械植毛は不可能であって、現実的には実施が極めて困難か、不可能である。
【特許文献１】特開平９−１８２６２４号公報
【特許文献２】実用新案登録第３０９７６３０号公報
【考案の開示】
【考案が解決しようとする課題】
【０００８】
本考案が解決しようとする問題点は、歯および歯列の内側と外側および咬合面の同時磨きが、違和感或いは痛みを伴って容易にはできないという点である。
【０００９】
従って、本考案の目的は、歯および歯列の内側と外側および咬合面の同時磨きが、違和感や痛み等の支障を伴うことなく、通常の歯磨きと同様に効率よく行うことができる全歯周ハブラシを提供することにある。
【００１０】
また、本考案の他の目的は、ブラシ部の成型と植毛束の植毛が自動機械で量産的にできる全歯周ハブラシを提供することにある。
【課題を解決するための手段】
【００１１】
これらの目的を達成するため、本考案の請求項１に記載の全歯周ハブラシは、ブラシ部１と把持部２を含む歯ブラシにおいて、
前記ブラシ部１は、主植毛基材部３と、該主植毛基材部３の左右にそれぞれ肉薄の連繋帯部４を介して一体に連設された一対の副植毛基材部５を有し、かつ該一対の副植毛基材部５は、前記連繋帯部４と該連繋帯部４を包含して充填されたゴム状の弾性充填部材１２により、前記主植毛基材部３の植毛面６に対し内向きの所定の鈍角θ、好ましくは、約２５〜３０度の角度をもって可撓的に屈曲形成され、前記主植毛基材部３の植毛面６には、やや短い植毛束１３が規則的配列をもって植毛され、前記一対の副植毛基材部５の植毛面７には、それぞれ前記主植毛基材部３の植毛束１３よりもやや長く、かつ前記植毛面７の外側ほど順次長くなっている植毛束１４、１５が規則的配列をもって植毛され、
前記一対の副植毛基材部５が歯および歯列２０に跨るようにして、前記三つの植毛面６、７における植毛によって、歯および歯列２０の内側と外側および咬合面を同時に磨き得るようにされた構成を特徴とするものである。
【考案の効果】
【００１２】
本考案の全歯周ハブラシは、左右一対の副植毛基材部５が、主植毛基材部３の植毛面６に対し内向きの所定の角度θ、好ましくは、約２５〜３０度の角度をもって可撓的に屈曲形成されるとともに、主植毛基材部３の植毛面６には、やや短い植毛束１３が規則的配列を以って植毛され、一対の副植毛基材部５の植毛面７には、それぞれ主植毛基材部３の植毛束１３よりもやや長く、かつ植毛面７の外側ほど順次長くなっている植毛束１４、１５が規則的配列をもって植毛されているから、使用上において、違和感がなく、歯および歯列２０に対し納まりがよくて、磨いていてブラシ部が歯および歯列２０から外れることがなく、内側と外側および咬合の三面を同時に万遍なく、効率的に、しかも歯肉をよくマッサージするようにして磨くことができるという利点がある。
【００１３】
また、連繋帯部4は、充填されたゴム状の弾性充填部材１２により包含されているから、この充填部材１２がクッション材として機能して、副植毛基材部５の植毛の歯および歯肉への当りを軟らかくするという利点がある。
【００１４】
また、ブラシ部１の成型と植毛束１３、１４、１５の植毛は自動機械で行うことが可能であるから、量産的にして、安価に製作することができるという利点がある。
【考案を実施するための最良の形態】
【００１５】
以下に図面を参照して、本考案を実施するための最良の形態についてその作用と共に説明する。
【００１６】
図１は、本考案に係る全歯周ハブラシの一例での断面した正面図、図２は、本全歯周ハブラシのブラシ部における植毛基材部の一次成型後の平面図、図３は、図２の３−３線に沿った拡大断面図で、これら図において、本案全歯周ハブラシは、ブラシ部と把持部を含んでいる。
【００１７】
ブラシ部１は、把持部２と一体に、好ましくは、飽和ポリエステル樹脂材による一体成型品として得られ、主植毛基材部３と連繋帯部４を介して左右一対の副植毛基材部５を有している。
【００１８】
主植毛基材部３と副植毛基材部５との連繋帯部４は、厚さ０．２〜０．３mm、巾０．８mm位、長さ主、副植毛基材部３、５の長さの約７０％位が可撓性を有し、かつ強度的にも充分である。
【００１９】
主植毛基材部３の植毛面６と、一対の副植毛基材部５の植毛面７には、それぞれ盲孔である植毛束の植毛孔１０、１１が明けられている。
【００２０】
なお、植毛孔１０、１１は、本実施例においては、主植毛基材部３の植毛面６には規則的配列をもって３列設け、一対の副植毛基材部５の植毛面７には規則的配列をもって２列設けたが、これに限定されず、両植毛孔１０、１１は同数列であってもよい。
【００２１】
このようにして、ブラシ部１は、全体平坦状に一体成型されて一次加工される（図２および図３参照）。
【００２２】
次いで、一対の副植毛基材部５の植毛面７は、主植毛基材部３の植毛面６に対してそれぞれ約２５〜３０度の角度θをもって屈曲されて金型（図示しない）に装着され、主植毛基材部３と一対の副植毛基材部５を連設しているそれぞれの連繋帯部４と前後の空間部８、９に、低分子の軟質ゴム状のポリエステル樹脂材からなるゴム状の弾性充填部材１２が空間部８、９を含み、かつ連繋帯部４を包含して射出成型法で充填され、この弾性充填部材１２と連繋帯部４で屈曲部が形成される（図４および図５参照）。
【００２３】
なお、弾性充填部材の材質としては、主植毛基材部３に対する一対の副植毛基材部５の角度θは意識しない程度の弱い力では変らないが、曲げる意思で相当に強い力を加えれば曲げることができる材質が選択される。
【００２４】
次いで、金型から取り外されたブラシ部１は、その三連の植毛基材部３、５が平坦状とされて自動植毛機（図示しない）にセットされ、それぞれの植毛孔１０、１１に植毛束１３、１４、１５が植毛される（図７参照）。
【００２５】
この植毛の際、１束当りの本数は１６〜２０本程度が好ましく、主植毛基材部３の植毛は長さ５mmと短く、かつ３列中の真中の１列の長さは約２mm程長くて山型状を呈し、また、副植毛基材部５の植毛より稍細いものが用いられる。また、副植毛基材部５の植毛束の長さは、外側ほど順次長くなっており、因みに、内側の植毛束１４は長さ約８mm、外側の植毛束１５は長さ約１２mmが望ましい。
【００２６】
このようにして植毛されたブラシ部１は、その固定が解除されて植毛機（図示しない）から取り出され、弾性充填部材１２の復元力によって、再び三連の植毛基材部３、５が図４に示された状態に戻ると、図１に示された出来上がり状態となり、植毛束１３、１４、１５の中に空隙部１６が形成されて、図７および図８に示されているように、歯および歯列２０に対して納まりがよく、磨いていても歯ブラシが歯および歯列２０から外れることがなく、万遍なく磨くことができる。
【００２７】
また、一対の副植毛基材部５に植毛された植毛束１４、１５は、一対の副植毛基材部５と主植毛基材部３とのなす角度θによって生ずる横からの曲げる力は一定限度以上掛からないので、植毛束１４、１５の先端が湾曲することは少なく、従来の歯ブラシに較べ長く使用し得る。
【００２８】
このように構成された本案ハブラシは、図７および図８に示されているように、左右の副植毛基材部５が歯および歯列２０に跨るようにして歯列方向にこまかく動かし、三つの植毛面６、７における植毛によって、歯および歯列２０の内側と外側および咬合面を同時に磨くことができる。
【００２９】
本案ハブラシは、歯および歯列２０の内側と外側および咬合面の三面同時磨きができるため、怠り勝ちな奥歯の噛み合わせ面と歯列の内側の清掃、清潔が誰でも容易にできて、罹り易い臼歯の虫歯や、歯槽膿漏、歯周病を予防することができ、歯周病から誘引される種々の全身病をも予防することができるなど、多大な効果が期待し得る。
【図面の簡単な説明】
【００３０】
【図１】本考案に係る全歯周ハブラシの一例での断面した正面図である。
【図２】本全歯周ハブラシのブラシ部における植毛基材部の一次成型後の平面図である。
【図３】図２の３−３線に沿った拡大断面図である。
【図４】本全歯周ハブラシのブラシ部における植毛基材部の二次成型後の断面図である。
【図５】図４の部分拡大断面図である。
【図６】自動植毛機による植毛状態を示す断面図である。
【図７】使用状態の一例を示す説明図である。
【図８】使用状態の他例を示す説明図である。
【符号の説明】
【００３１】
１    ブラシ部
２    把持部
３    主植毛基材部
４    連繋帯部
５    副植毛基材部
６、７    植毛面
８、９    空間部
１０、１１    植毛孔
１２    弾性充填部材
１３、１４、１５    植毛束
１６    空隙部
２０    歯および歯列
【図１】
0003126032.tif 000003
【図２】
0003126032.tif 000004
【図３】
0003126032.tif 000005
【図４】
0003126032.tif 000006
【図５】
0003126032.tif 000007
【図６】
0003126032.tif 000008
【図７】
0003126032.tif 000009
【図８】
0003126032.tif 000010